(57)【特許請求の範囲】
【請求項１】
枠体に開閉可能に配置されている少なくとも１組の複数のスラットと枠体のスライド手段を備えた第１のブラインド格子と、枠体に開閉可能に配置されている少なくとも１組の複数のスラットと枠体の回動手段を備え、且つ、室内側に内開き可能な第２のブラインド格子とを組合わせ、これら第１、第２のブラインド格子が、下枠にはレール、上枠にはスライド下向片がそれぞれ形成され、且つ、建物開口部の木額に固定される取付枠体を介して建物開口部の開閉装置の室内側に取付けられる室内用防犯ブラインド格子であって、
前記第２のブラインド格子は、前記下枠及びスライド下向片に当らずに前記取付枠体から室内側への内開きがスムースに行えるように、第１のブラインド格子に対し、その高さ寸法を若干縮められ、
各ブラインド格子の枠体側面が略当接するように配置され、
前記第２のブラインド格子を第１のブラインド格子に対してキー付きクレセントにより施錠可能に、その施錠を解いて第２のブラインド格子を室内側に回動させた場合に前記開閉装置の施錠装置を開錠可能に、且つ、前記第１のブラインド格子をスライド可能に前記開口部に取付けたことを特徴とする室内用防犯ブラインド格子。
【請求項２】
前記第１のブラインド格子間に、前記第２のブラインド格子を配置し、左右何れかの前記第１ブラインド格子にヒンジ取付枠を設けると共に、このヒンジ取付枠に対応するヒンジ取付枠を第２のブラインド格子に形成したことを特徴とする請求項１に記載の室内用防犯ブラインド格子。
【発明の詳細な説明】
【０００１】
【発明の属する技術分野】
この発明は、建物の開口部の室内側に配置される室内用防犯ブラインド格子に関する。
【０００２】
【従来の技術】
空き巣、居直り強盗等、社会不安を引き起こす犯罪の発生件数が高水準で推移している。
空き巣の家屋侵入の手口には、ピッキング等で玄関から侵入する場合の他、窓ガラスを割って、クレセント等を開錠して侵入する場合も多い。段上への足場があれば、２階等のベランダからも室内に侵入してくるケースもある。
この「ガラス破り」の対策として、住宅のユーティリティ部分（キッチン、洗面、脱衣、トイレ、浴室）の窓部の場合には、従来からその窓に外格子を取付けている。
【０００３】
しかし、外格子では、火災等の非常時に室内から室外側に脱出できない構造となっている。
また、ユーティリティ部分の窓部の近辺の室内側には、小物置きスペースや棚等があり、外格子以外に防犯対策を施す余地は無かった。
【０００４】
サッシメーカとしての出願人は、その独自の技術を用いて、窓の、特にユーティリティ部分の窓部の防犯機能を徹底的に高めることができる製品を社会に提供するため、従来から自社で開発している開口部外装装置に着目した。この開口部外装装置は、防風、防雨、防犯、プライバシーの保護の機能を保持させつつ、通風性、採光性を発揮できる構造となっている（例えば、特許文献１参照）。
【０００５】
【特許文献１】
特開２００２−２５６７７６（図１、図９）
【０００６】
【発明が解決しようとする課題】
【０００７】
そこで、本願では、前記開口部外装装置が持つ防犯機能やプライバシーの保護機能を重点的に追求しつつ、通風性、採光性を確保できる室内用防犯ブラインド格子を提供すること、特に、ユーティリティ部分の窓部についても、その近辺のスペースを犠牲にすることなく、また火災等の非常時に室内から室外側に脱出できる構造の室内用防犯ブラインド格子を提供することを目的とする。
【０００８】
【課題を解決するための手段】
上記課題を解決するため、枠体に開閉可能に配置されている少なくとも１組の複数のスラットと枠体のスライド手段を備えた第１のブラインド格子と、枠体に開閉可能に配置されている少なくとも１組の複数のスラットと枠体の回動手段を備え、且つ、室内側に内開き可能な第２のブラインド格子とを組合わせ、これら第１、第２のブラインド格子が、下枠にはレール、上枠にはスライド下向片がそれぞれ形成され、且つ、建物開口部の木額に固定された取付枠体を介して建物開口部の開閉装置の室内側に取付けられる室内用防犯ブラインド格子であって、前記第２のブラインド格子は、前記下枠及びスライド下向片に当らずに前記取付枠体から室内側への内開きがスムースに行えるように、第１のブラインド格子に対し、その高さ寸法を若干縮められ、各ブラインド格子の枠体側面が略当接するように配置され、前記第２のブラインド格子を第１のブラインド格子に対してキー付きクレセントにより施錠可能に、その施錠を解いて第２のブラインド格子を室内側に回動させた場合に前記開閉装置の施錠装置を開錠可能に、且つ、前記第１のブラインド格子をスライド可能に前記開口部に取付けたことを特徴とする室内用防犯ブラインド格子（請求項１に記載の発明）とした。
ここで１組の複数枚のスラットとは、後述の揺動機構により同時にスラットの開閉動作が可能な単位を意味するが、１枚のブラインド格子に対して、１組、２組、それ以上でもよい。
スライド手段は、例えば、開口部下枠上のレール等に対し枠体に取付けられる滑動部材、戸車等であるが、その他、開口部上枠にレールを取付け、対応する車を枠体に取付けてもよい。
開口部の形態は、ユーティリティ部分（キッチン、洗面、脱衣、トイレ、浴室）の窓部であるが、出窓でもよいし、片引き窓でもよい。
回動手段は、例えば、ヒンジである。
第１のブラインド格子と第２のブラインド格子との組合わせの数は、建物の開口部の幅に応じて決定され、またその配置順序は、第２のブラインド格子を開口部の開閉装置の施錠装置に対応させることで決定される。
【０００９】
この発明によれば、ガラス障子等の開閉装置による施錠と、室内用防犯ブラインド格子による施錠とで、２重に施錠されるので、防犯機能が高まる。
また、建物開口部の開閉装置の室内側に、各ブラインド格子の枠体側面が当接するように配置されることで、取付見付幅を最小限に抑えることができ、ユーティリティ部分の窓部のスペースの犠牲を抑えることができる。
また、第１のブラインド格子との施錠を解いて第２のブラインド格子を室内側に回動させた場合には、開閉装置の施錠装置を室内から開錠でき、火災等の非常時に室内から室外側に脱出できる。さらに、前記第１のブラインド格子を左右の何れかの方向にスライドできるので、この場合にも室内から室外側に脱出できる。
また、第１のブラインド格子と第２のブラインド格子を施錠した状態で、スラットを開閉できるので、採光性、通風性、日よけ（西日よけ）、日照調整、外部からの視線の遮断などのプライバシー保護を確保することができる。
また、建物の外観に影響を与える製品（例えば、室外側に取付けられるシャッター等）の設置に制約がある場合には、防犯上の不安があるが、本発明によれば、設置の制約に抵触することなく、防犯上の不安を解消できる。即ち、窓からの防犯対策が不充分なマンション等に取付けることで、防犯機能を高めることができる。
【００１０】
上記発明において、第１、第２のブラインド格子にそれぞれ網目部材を取付けたことを特徴とする。
開口部の開閉装置の網戸が不要となる。
【００１１】
また、前記第１のブラインド格子間に、前記第２のブラインド格子を配置し、左右何れかの前記第１ブラインド格子にヒンジ取付枠を設けると共に、このヒンジ取付枠に対応するヒンジ取付枠を第２のブラインド格子に形成したことを特徴とする請求項１に記載の室内用防犯ブラインド格子としてもよい（請求項２に記載の発明）。
上記各発明において、室内用防犯ブラインド格子は、室内からの視線に触れることから、明るい色で着色されることが望ましい。例示すれば、ホワイト、アイボリーホワイト等が望ましい。
なお、ここで「着色」とは、電解着色、電着塗装、静電塗装、スプレー塗装、
その他の着色方法による。
【００１２】
【発明の実施の形態】
本発明に係る室内用防犯ブラインド格子につき、第１のブラインド格子と第２のブラインド格子との組合わせの態様に応じて、各構成例を説明する。
なお、各図において略同一の構成は同一の符号を用いて詳細な説明を省略する。
【００１３】
室内用防犯ブラインド格子（２枚組）
図１（Ａ）は室内用防犯ブラインド格子の室内側概略正面図、同図（Ｂ）は同各平面図、図２は同横断面図、図３（Ａ）及び（Ｂ）は第１のブラインド格子と第２のブラインド格子の縦断面図である。
【００１４】
室内用防犯ブラインド格子Ａは、前記第１のブラインド格子としてのスライド格子１と、第２のブラインド格子としての回動格子８を組合わせるもので、建物の開口部Ｂを開閉するガラス障子Ｇ等の開閉装置に対し、その室内側であって、その開口幅Ｗ内に、スライド格子１と回動格子８を略同一平面若しくは略同一面を形成するように配置している。
そして前記回動格子８に施錠装置としてのクレセント本体９０を、スライド格子１にクレセント受け９１を取付け、施錠できるようにしている。
前記回動格子８は、回動手段としてのヒンジ等により、室内側に内開き可能になっており、前記ガラス障子ＧのクレセントＧ１等を臨ませることができる。
この段階で、前記スライド格子１は、スライド手段（後述の滑動部材１１０）、戸車等により、左右方向に走行可能になっている。
【００１５】
前記スライド格子１は、図２及び図３（Ｂ）に図示したように、上下框１０，１１と左右竪框１２，１３から枠体が形成され、その枠体内に１組の複数の前記スラット２がそれぞれ水平方向に配列されている。そして、前記下框１１の上方に配置した桟状部１４に前記スラット２の揺動機構（後述）を操作する操作スライダー１５（後述）を臨ませている。
【００１６】
図３（Ａ）に示したように、前記上框１０は、前記開口部Ｂに取付けられた取付枠体Ｂ２のスライド下向片Ｂ２１に取付けられ、前記下框１１には、前記開口部Ｂに取付けられたレールＢ２０上を滑動できる滑動部材１１０が取付けられている。
【００１７】
前記左右竪框１２，１３の中空部１２１，１３１には前記揺動機構の一部が収容されている。
また、前記竪框１２、１３の室内側には、遮光片１２２、１３２が形成されている。これは、前記左右の竪框１２、１３に揺動開閉可能なスラット２を取付ける場合、スラット両端に僅かな間隙が形成されてしまい、外部からの光、室内側からの光が漏れることになることから、これを防ぐためである。
なお、前記クレセント受け９１は、前記竪框１３の側面に固着されている。
【００１８】
前記桟状部１４は、前記揺動機構の一部が組込まれるもので、上述のように操作スライダー１５を室内側に臨ませている。
【００１９】
次に、前記揺動機構の構成例を図４〜図１１に基づいて説明する。
前記揺動機構は、図４及び図５に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２０】
前記操作スライダー１５は、摘み片１５０とスライダー本体１５１からなり、そのスライダー本体１５１が、前記桟状部１４に設けられたスライド枠１４２（図４）に沿って直線的に滑動できるように配置されている。
【００２１】
前記スライダー本体１５１の構成例を、図６に基づいて説明する。
スライダー本体１５１は、本体部１５１ａと、蓋体部１５１ｂと、本体部１５１ａと蓋体部１５１ｂを組立てるカシメ部１５１ｃからなっており、このカシメ部１５１ｃに前記摘み片１５０が固定されている。前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整される。よって前記スライダー本体１５１に「ガタツキ」が生じることなく、スムーズにスライドさせることができる。
【００２２】
より詳細に「ガタツキ防止手段」を取付けた理由及び作用を図７に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。
よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００２３】
図７に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００２４】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図８に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００２５】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２６】
前記回転軸３２は、図５に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記竪框１２に設けられた孔（図示せず）から、その竪框１２の中空部１２１（図３参照）に突出され、前記第１の伝達部材５の一端５０に連結されている。
【００２７】
前記第１の伝達部材５は、竪框１２の中空部１２１に収容され、図５等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２８】
前記第１の伝達部材５の他端５１は、前記竪框１２の中空部１２１に沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている（図５参照）。
一方、前記バー部材４の孔４１に対応するように、前記第１の伝達部材５と略同一の形状に成形された第２の伝達部材６の一端６０が、後述のスラットホルダ７を介して前記竪框１２内に回転可能に配置されている（図５等参照）。この第２の伝達部材６の他端６１は、前記バー部材４の前記各孔４１に空転可能に配置されており、第２の伝達部材６は、その一端６０を中心にして前記第１の伝達部材５と同調して回転する。
【００２９】
前記スラットホルダ７は、図５等に示したように、前記竪框１２の中空部１２１内に臨む回転軸７０と、この回転軸７０に同軸的に固定され、且つ、竪框１２の外側面に当接する鍔部７１と、前記スラット２の側面に埋込まれる楔部７２からなっている。
【００３０】
なお、前記スラット２の他端を回転可能に保持するスラットホルダ７Ａ（図２参照）は、前記竪框１３に取付けられており、前記スラットホルダ７と同様に構成され、その楔部７２が前記スラット２の側面に埋込まれている。
上述のように、前記操作スライダー１５、ねじりバー３、バー部材４、第１の伝達部材５及び第２の伝達部材６は、前記竪框１２側に取付けられているが、竪框１３側に取付けても良い。
【００３１】
次に、前記スラット２の構成例を説明する。
スラット２は、図５等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２２、１３２（図３参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００３２】
前記遮光片１２２、１３２と前記スラット上部との干渉を避けるため、スラット２の中空部２１の寸法が、スラット２の回転中心（前記第２の伝達部材６の一端６０、スラットホルダ７の回転軸７０）から遮光片１２２、１３２までの距離に比べ、短くなるように形成した。この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００３３】
前記消音部材２３は、例えば塩化ビニールからなるもので、各スラット２を閉じた際に、上下のスラットが当たるときに発生する音を消音すると共に、雨仕舞の機能も発揮する。
【００３４】
上記のように構成されたスライド格子Ａは室内に臨むので、意匠的に室内と調和できるような明るい着色が望ましく、例えばアイボリーホワイトに着色されている。
【００３５】
次に、前記回動格子８の構成例を説明する。
この回動格子８が、前記スライド格子１と異なる点は、図２に示したように、右竪框１３にヒンジ取付枠１３０Ａを設け、ヒンジ１３０を取付枠体Ｂ２間で取付けて、回動格子８を内開きできるようにしたこと、また図３Ｂのように、その内開きをスムースに行えるように、高さ寸法lを若干縮めたこと、左竪框１２にクレセント本体９０を固定していること等である。
その他の構成は、上記スライド格子と略同一であるので、同一の作用効果を奏する。
【００３６】
上記のように構成されたスライド格子１及び回動格子８は、建物開口部Ｂの木額に固定する取付枠体Ｂ２を介して取付けられている（図１４〜１６も参照）。この枠体Ｂ２の下枠にはレールＢ２０、上枠にはスライド下向片Ｂ２１がそれぞれ形成され、また右枠にはヒンジ取付枠１３０Ｂが形成されている。
よって、上記スライド格子１を前記レールＢ２０及びスライド下向片Ｂ２１間にケンドンで取付け、前記回動格子８を前記ヒンジ１３０に取付け、スライド格子１の側面１Ａと、回動格子８の側面１Ｂとが隣接し、当接するように配置する。
前記ガラス障子Ｇと各１，格子８との間隔は、各スラット２を開放した状態でも、ガラス障子Ｇに接触することなく、スラット２の開閉が可能なように所定間隔Ｗ１を取るようにする。
なお、上述のように、スライド格子１と回動格子８は、室内側から取付け、取外しができるので、ガラス障子Ｇや網戸も、室内側から取外して、清掃できる。
【００３７】
なお、施錠装置の構成は、この実施形態のように、キー付きのクレセントのほか、どのような構造のクレセントでもよく、またクレセントに限定されるものでもない。
【００３８】
次に、上記のように構成された室内用防犯ブラインド格子のスラット２の使用例を、図９（ａ）〜（ｃ）及び図１０に基づいて説明する。
図９（ａ）及び（ｂ）は各スラット２が閉じた状態の要部断面図、同図（ｃ）は各スラット２を略４５度に開いた状態の要部断面図を示している。図１０は内外雨戸１、８の各スラット２が略９０度に開いた状態を並べて示した要部断面図である。
前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３９】
図９（ｃ）のように、前記操作スライダー１５を中間位置まで移動させると、前記スラット２が半開される。
【００４０】
図１０のように、さらに左端まで前記操作スライダー１５をスライドさせると、スラット２が全開となる。
なお、各スラット２を閉じるときには、前記操作スライダー１５を右側にスライドさせればよい。
【００４１】
以上のような室内用防犯ブラインド格子Ａによれば、第１に、室外側のガラス障子Ｇと室内側のブラインド格子Ａの２重の防犯構造であることから、防犯性が向上する。
即ち、ガラス障子Ｇのガラスが割られても防犯でき、また、スラット２，２の間から手を入れて、クレセント９０を開けようとしても、クレセントキーは、枠体の最下端に落ちているので、ブラインドアマドＡを開けることはできない。
第２に、各ブラインド格子１，８の枠体側面１Ａ、１Ｂが当接するように配置されることで、枠見付幅ＷＢ（図１（Ｂ）、略６０〜７０ｃｍ）を最小限に抑えることができ、ユーティリティ部分の窓部のスペースの犠牲を抑えることができる。
第３に、スライド格子１と回動格子８の施錠を解いた場合には、その回動格子８を室内側に開けることができ、ガラス障子Ｇ等を開けて、火災等の非常時に室外側に脱出できる。さらに、前記スライド格子１も左右の何れかの方向にスライドできるので、この場合にも室内から室外側に脱出できる。
これらの回動格子８の内開きと、スライド格子１のスライドは、前記スラット２を開放した状態でも可能である。
第４に、マンションのような集合住宅のように建物の外観に影響を与える製品の設置に制約がある場合でも、室内用防犯ブラインド格子Ａは設置の制約に抵触することなく、窓からの防犯対策が不充分なマンション等の防犯機能を高めることができる。
第５に室内への、通気性、採光量が確保される。特に、夏季等、ガラス障子Ｇを開放しても、室内用防犯ブラインド格子Ａの施錠をしておけば、外部からの侵入を心配することなく、通気を確保でき、外部からの視線も遮断できる。
ユーティリティ部分の窓部の西日よけにも有効である。
第６に、前記操作スライダー１５を左右にスライドさせることで、各スラット２の開閉を行うので、開閉操作が極めて容易であり、また開閉角度を調整することにより、プライバシーの保護を図ることができる。
第７に、前記ねじりバー３のねじれ角を小さくすることにより、小さな力でスライドさせることができ、また各スラット２を略９０度の範囲で、好きな角度で固定することができる。この場合、各スラット２の開閉角度を大きくしたいときには、より大きなねじれ角のねじりバーに交換すれば良い。
第８に、ねじりバー３にはねじれ角が存在するので、スラット２を動かしても、操作スライダー１５はスライドし難く、防犯性に優れており、またねじりバー３は、その製造コストを安価に押さえることができる。
第９に、ねじりバー３のねじれ方向を逆転させて（反時計回り）成形することにより、前記操作スライダー１５が図９（ａ）及び（ｂ）に示した位置にあるときに、前記スラット２を開放状態にすることができる。
第１０に、前記左右の竪框１２，１３に遮光片１２２，１３２が形成されているので、この点からもプライバシー保護や防犯性に優れている。
【００４２】
なお、前記回転軸３２の回転方向を直交させる部材を、その回転軸３２と第１の伝達部材５間に介在させることにより、前記操作スライダー１５、前記ねじりバー３及び前記回転軸３２を竪框側に配置することもできる。また、前記実施形態においては、前記各格子１，８の框内略全面にスラットを配置していたが、框内の上部、中部或いは下部など、所定の領域に限定し、これらのスラットを揺動させる揺動機構を設けてもよい。さらに、図１１に示したように、操作スライダーの摘み片１５０を室内側に臨ませてもよい。
その他、開口部の形態は、出窓でもよいし、片引き窓でもよい。
また、室内用防犯引違ブラインドアマドＡは、室内用のサッシであることから、上記構成の内、強度、水密及び気密性を高める部分は、省くようにしてもよい。例えば、前記消音部材２３等である。
【００４３】
室内用防犯ブラインド格子（３枚組）
図１２（Ａ）は室内用防犯ブラインド格子の室内側概略正面図、同図（Ｂ）は同各平面図、図２は同横断面図である。
３枚組の室内用防犯ブラインド格子Ａ２の特徴は、スライド格子１，１間に回動格子８を置き、この回動格子８を開いたときに、ガラス障子ＧのクレセントＧ１を視認しやすくしたことである。
そのため、図１３の図面上、左側のスライド格子１の右竪框１３にヒンジ取付枠１３０Ａを、回動格子８の左竪框１２にヒンジ取付枠１３０Ｂが形成され、ヒンジ１３０が取付けられている。
従って、回動格子８の開錠して、内開きした場合には、その回動格子８も左スライド格子１と共に、スライドできるようになっている。
なお、図１３の図面上、右側のスライド格子１と回動格子８にヒンジ１３０を取付けてもよい。
【００４４】
上記のように構成された３枚組のスライド格子１及び回動格子８は、図１４〜図１６に示したように、建物開口部Ｂの木額Ｂ１に固定する取付枠体Ｂ２を介して取付けられている。
その他の構成は、前記室内用防犯ブラインド格子Ａと同様であり、同様な作用効果を奏する。
【００４５】
室内用防犯ブラインド格子（５枚組）
図１４（Ａ）は室内用防犯ブラインド格子の室内側概略正面図、同図（Ｂ）は同各平面図、図２は同横断面図である。
５枚組の室内用防犯ブラインド格子Ａ２の特徴は、中央に回動格子８を、その左右にスライド格子１，１を配し、この回動格子８を開き、内開きした場合に、その回動格子８と左スライド格子１，１を中央に寄せるようにスライドさせ、ガラス障子ＧのクレセントＧ１を開け易くしている。また、一方、スライド格子１，１を中央に寄せて、ガラス障子ＧのクレセントＧ１を開け易くしている。
なお、図１３の図面上、右側のスライド格子１と回動格子８にヒンジ１３０を取付けてもよい。
【００４６】
その他の構成は、前記室内用防犯ブラインド格子Ａ〜Ａ１と同様であり、同様な作用効果を奏する。
【００４７】
出窓用室内用防犯ブラインド格子
本発明に係るスライド格子１、回動格子８は、枠巾が小さい特徴を生かして、外格子や雨戸が付け難い出窓用の室内用防犯ブラインド格子（Ａ３）にも最適である。
出窓には図１９の引違いタイプと図２０の全面がＦＩＸで両側が外開き竪辷り出し窓のタイプ等があり、図１９の引違いタイプの場合には、両側に回動格子８，８を引違部にはスライド格子１と回動格子８を配置する。
一方、図２０の全面がＦＩＸで両側が外開き竪辷り出し窓のタイプ等の場合には、両側に回動格子８，８を、ＦＩＸ部にはスライド格子１と回動格子８、或回動格子８，８或いはスライド格子１，１配置する。
その他の構成は、前記室内用防犯ブラインド格子Ａ〜Ａ２と同様であり、同様な作用効果を奏する。
【００４８】
各実施形態の室内用防犯ブラインド格子Ａ〜Ａ３つき、各格子１，８の枠体の室内側に網戸取付ヒレＤ１（図２等参照）を設け、ロッド部材Ｄ２を前記網戸取付ヒレＤ１に埋めこむように、網目部材Ｄを取付ける（図２１参照）ようにしてもよい。
この場合には、ガラス障子Ｇの外側の網戸が不要となり、その開閉作業も不要となる、また格子Ａ等の全面に網目部材が張られることになるので、ガラス障子Ｇの開放場所（開放範囲）等を問わずに防虫効果がある。
また室内側に網目部材があるので、汚れ難く、その清掃も簡単であるというメリットもある。
【００４９】
【発明の効果】
請求項１に記載の発明によれば、ガラス障子等の開閉装置による施錠と、室内用防犯ブラインド格子による施錠とで、２重に施錠されるので、防犯機能が高まる。
また、建物開口部の開閉装置の室内側に、各ブラインド格子の枠体側面が当接するように配置されることで、取付見付幅を最小限に抑えることができ、ユーティリティ部分の窓部のスペースの犠牲を抑えることができる。
また、第１のブラインド格子との施錠を解いて第２のブラインド格子を室内側に回動させた場合には、開閉装置の施錠装置を室内から開錠でき、火災等の非常時に室内から室外側に脱出できる。さらに、前記第１のブラインド格子を左右の何れかの方向にスライドできるので、この場合にも室内から室外側に脱出できる。
また、第１のブラインド格子と第２のブラインド格子を施錠した状態で、スラットを開閉できるので、採光性、通風性、日よけ（西日よけ）、日照調整、外部からの視線の遮断などのプライバシー保護を確保することができる。
さらに、建物の外観に影響を与える製品（例えば、室外側に取付けられるシャッター等）の設置に制約がある場合には、防犯上の不安があるが、本発明によれば、設置の制約に抵触することなく、防犯上の不安を解消できる。即ち、窓からの防犯対策が不充分なマンション等に取付けることで、防犯機能を高めることができる。
【００５０】
なお、第１、第２のブラインド格子にそれぞれ網目部材を取付けた場合には、開口部の開閉装置に網戸を取付ける必要がなくなると共に、その開閉装置の網戸の開閉の手間も省ける。さらに、ブラインド格子の室内側全面に網目部材があることで、前記開閉装置の開閉状態を考慮する必要がなくなる。
【図面の簡単な説明】
【図１】  （Ａ）  室内用防犯ブラインド格子の室内側正面図、（Ｂ）  同平面図、
【図２】  同横断面図、
【図３】  （Ａ）  スライド格子の縦断面図、  （Ｂ）  回動格子の縦断面図、
【図４】  揺動機構の要部断面図、
【図５】  揺動機構の分解斜視図、
【図６】  揺動機構の操作スライダーの分解斜視図、
【図７】  同操作スライダーの動作説明図、
【図８】  揺動機構のねじりバーの正面図、
【図９】  （ａ）〜（ｃ）  スラットの動作説明図、
【図１０】  スラットの動作説明図、
【図１１】  別例に係る操作スライダーの分解斜視図、
【図１２】  （Ａ）  室内用防犯ブラインド格子の室内側正面図、（Ｂ）  同平面図、
【図１３】  室内用防犯ブラインド格子の横断面図、
【図１４】  同ブラインド格子の取付状態縦断面図、
【図１５】  同ブラインド格子の取付状態縦断面図、
【図１６】  同ブラインド格子の取付状態横断面図、
【図１７】    （Ａ）  室内用防犯ブラインド格子の室内側正面図、（Ｂ）同平面図、
【図１８】  同横断面図、
【図１９】  出窓用室内用防犯ブラインド格子の同平面図、
【図２０】  出窓用室内用防犯ブラインド格子の同平面図、
【図２１】  網目部材の斜視図。
【符号の説明】
Ａ  ２枚組室内用防犯ブラインド格子
Ａ１  ３枚組室内用防犯ブラインド格子
Ａ２  ５枚組室内用防犯ブラインド格子
Ａ３  出窓用室内用防犯ブラインド格子
Ｂ  開口部
Ｂ１  木額                          Ｂ２  取付枠体
Ｂ２０  レール                      Ｂ２１  スライド下向片
Ｇ  ガラス障子
１  スライド格子                    ８  回動格子
２  スラット
３  ねじりバー                      ４  バー部材
５  第１の伝達部材                  ６  第２の伝達部材
７  ７Ａ  スラットホルダ            １０  上框
１１  下框                          １２  竪框
１３  竪框                          １４  中框
１５  操作スライダー
２３  消音部材                      ３０  一端
３１  他端                          ３２  回転軸
３３  軸受                          ４０  ４１  孔
５０  第１の伝達部材の一端          ５１  他端
６０  第２の伝達部材の一端          ６１  他端
７０  回転軸
７１  鍔部                          ７２  楔部
９  施錠装置
１２１，１３１  中空部
１２２  １３２  遮光片
１５０  摘み片                      １５１  スライダー本体
１５１ａ  本体部                    １５１ｂ  蓋体部
１５１ｃ  カシメ部
１５１ｄ  孔                        １５１ｅ  スプリング
１５１ｆ  ボール                    １５２  孔
３２０  固定円柱部                  ３２１  回転部
３２２  ４角孔                      ３２３  段差
【図１】
0003657589.tif 000002
【図２】
0003657589.tif 000003
【図３】
0003657589.tif 000004
【図４】
0003657589.tif 000005
【図５】
0003657589.tif 000006
【図６】
0003657589.tif 000007
【図７】
0003657589.tif 000008
【図８】
0003657589.tif 000009
【図９】
0003657589.tif 000010
【図１０】
0003657589.tif 000011
【図１１】
0003657589.tif 000012
【図１２】
0003657589.tif 000013
【図１３】
0003657589.tif 000014
【図１４】
0003657589.tif 000015
【図１５】
0003657589.tif 000016
【図１６】
0003657589.tif 000017
【図１７】
0003657589.tif 000018
【図１８】
0003657589.tif 000019
【図１９】
0003657589.tif 000020
【図２０】
0003657589.tif 000021
【図２１】
0003657589.tif 000022